(57)【要約】【課題】太陽光を直接利用するため省エネルギーに大いに貢献する光拡散型天窓は、補助光源として照明器具を設置する必要があるが、適切な照度や均斉度で配置・制御することはこれまで困難であった。照明器具は定期的維持管理が不可欠であるが、体育館、工場、倉庫など大規模で天井の高い建物の場合、維持管理の為に仮設足場の設置、維持管理用キャットウォークの設置、電動昇降装置の設置等の対策が必要であった。【解決手段】上部の網入りガラスを取外し屋根からの維持管理が可能な光拡散型天窓とその直下に設置した照明器具からなる照明装置およびその照明装置を用いた照明システムである。【選択図】図１
2015204177.tif 000002
【特許請求の範囲】
【請求項１】
光拡散型天窓とその直下に設ける照明器具からなる全般照明のための照明装置で、光拡散型天窓の特性、照明器具の特性、照明器具の点滅方法および照明器具の照度の制御方法を適切に組み合わせたもの。
【請求項２】
請求項１の照明装置で、網入りガラスを取外し屋根の上からの維持管理を容易にするため、照明器具の位置の判別を屋根の上からでも容易にするために光拡散板に設置した着色したマーカー、落下防止のため光拡散板に設置した把手、または判別と落下防止のために光拡散板に設置した着色した把手のいずれかを有する光拡散型天窓。
【請求項３】
請求項１の照明装置に用いる照明器具及び取付金具で、新設時に屋根梁等に取り付ける際には、下から容易に設置することが可能で、維持管理の際には、上部からの操作で引き上げることが可能で、かつ再設置した際に当初と同じ向きに設置する事が可能なもの。
【請求項４】
請求項１の照明器具同士及び照明器具と配電盤をつなぐ電気配管配線で、請求項２の光拡散型天窓を使って配線の維持管理が屋根から可能な電気配管配線方法。
【請求項５】
室の性状、必要照度、照明器具特性から得られる照明器具の配列とその配列に従って配置する光拡散型天窓について、照明に関わる消費電力を算定することで、設置コスト、運転コストを試算し、最適な請求項１の配列をシミュレーションする方法。
【請求項６】
請求項１の照明装置から請求項５のシミュレーションまでの一部または全てを備えた全般照明のシステム。
【発明の詳細な説明】
【技術分野】
【０００１】
本発明は、上部の網入りガラスを取外し屋根からの維持管理が可能な光拡散型天窓とその直下に設置した照明器具からなる照明装置およびその配置方法に関するものである。
【背景技術】
【０００２】
体育館、工場、倉庫など大規模の建物は鉄骨造とすることが多く、屋根に折板屋根を用いる場合が多い。折版屋根は日本で年間３千万平方メートル以上の施工実績があり、屋根全体の２割程度は折版屋根となっている。
【０００３】
体育館、工場、倉庫など大規模な建築物は一般的に高い天井を持ち、照明器具も高い位置に取り付けるのが通例である。照明設備の維持管理では、数千時間毎すなわち二ないし三年毎の電球の交換、設置後１５年毎の照明器具本体の交換、二十ないし三十年毎の電気配線の交換が必要である。ＬＥＤ照明器具の場合は電球交換は不要であるが、数万時間毎の器具交換、二十ないし三十年毎の配線の交換が必要である。
【０００４】
一部の光拡散型天窓は、折版屋根用に特化している。折版屋根との接続金物は現地ロール成形とすることで切れ目を無くし、ガラスの取付はガスケットを用いることで切れ目を無くし、漏水の危険が小さな光拡散型天窓が比較的安価に設置できるようになっている。
【０００５】
光拡散型天窓は、照度のシミュレーションが開発されて、工場や倉庫などの全般照明としての採用事例がある。天候の悪い日や朝夕、夜間には光拡散型天窓では照度が得られないため、補助として照明器具を別に用意する必要がある。
【先行技術文献】
【特許文献】
【０００６】
【特許文献１】特許公開  昭和６２−１３９２０２  天窓装置
【特許文献２】特許公開  平成１−１８６５０１  屋内照明システム
【特許文献３】特許公開  平成３−２４１６０３  インテリア照明システム
【特許文献４】特許公開  平成６−１１１６１０  太陽光採光装置
【特許文献５】特許公開  ２０１０−１６０９７５  屋内照明装置
【特許文献６】実用新案全文  昭和５９−０２２８２７  天窓装置
【特許文献７】実用新案全文  昭和６１−１９４９０９  屋内照明装置
【発明の概要】
【発明が解決しようとする課題】
【０００７】
天窓または採光装置と照明器具を組み合わせた技術は多数提案されている。
例えば、特許文献１  特許公開  昭和６２−１３９２０２  天窓装置においては、太陽光も人工光源もミラーやハーフミラーを用いて室内に取り込むため、透過損失や反射によりエネルギーの多くを無駄にしている。また、傾斜が大きな屋根にしか設置できないため、大空間の全般照明として用いることは難しい。
【０００８】
特許文献２  特許公開  平成１−１８６５０１  屋内照明システムにおいては、採光部分と太陽光追尾のためのミラー、調光ルーバーからなる。しかし、太陽光追尾のシステム有する事で採光部分とルーバー間に距離があり、装置の大きさや複雑さからコストが大きくなることは避けられない。これでは大空間の全般照明として採用する事は難しい。
【０００９】
特許文献３  特許公開  平成３−２４１６０３  インテリア照明システムにおいては、天窓、天井面に設けたガラス、偏光ガラス、その内部に人工光源を設けることで昼夜を問わず演出性の高い照明を提供する。人工光源をガラス、偏光ガラスの内側に設けるためエネルギーロスが大きく、装置も複雑で、大空間の全般照明として採用する事は難しい。
【００１０】
特許文献４  特許公開  平成６−１１１６１０  太陽光採光装置においては、採光部と光ダクトで構成する光照射部と光照射部に設けた人工光源からなり、太陽電池を蓄え人工光源の電源とするものである。しかし、人工光源は光照射部の中ほどにありハーフミラーを介して室内を照らすため、エネルギー効率が低い。また、装置が複雑なため大空間の全般照明として採用する事は難しい。
【００１１】
特許文献５  特許公開  ２０１０−１６０９７５  屋内照明装置においては、昼光照明器である天窓と人工光源の人工照明器を備え、照度センサーにより制御するもので、全般照明としての条件を備えている。しかし、天窓と照明器具を一体的に配置する仕組みを持たないため、通常の建築工事では、建具又は屋根工事として扱われる天窓と電気設備として扱われる照明器具で、設計者や施工者が異なり整合性の確保が困難となる。また、将来的に室を分割して使用する場合には壁位置によっては照度的に不都合な部分が生ずる可能性がある。
また、天窓で得られる照度から照明器具の出力を制御するものであるが、そもそもコスト上の最適な天窓配置となっている事が確認できないため、次善の策という他ない。
【００１２】
特許文献６  実用新案全文  昭和５９−０２２８２７  天窓装置においては、天窓からの光を遠くに送ることが特徴であり、光の指向性を高めている。その光の指向性ゆえ全般照明として用いるためには設置数を多くする必要があり、費用的な面で実施が難しい。
【００１３】
特許文献７  実用新案全文  昭和６１−１９４９０９  屋内照明装置においては、太陽光と人工光源を用い、昼間の窓際と部屋の中央部の照度のコントラストを小さくして省エネを図るものである。しかし、光ファイバーを介して得られる光量は小さく大空間の全般照明として採用することは難しい。
【００１４】
大規模で天井の高い建物に設置する照明器具の維持管理作業の際には、高所作業車による方法、足場を組んで行う方法、天井に予め設けたキャットウォークを利用する方法、電球交換や器具交換については昇降装置を設ける方法がある。
【００１５】
高所作業車による工事は比較的廉価で、短時間で実施可能であるが、床が平坦でない時や、工場の生産機械や倉庫の商品などの照明器具の下にある作業の障害物となるものが移動できない時は利用できない。足場を組んで工事する方法は高価で、延べの作業時間が過大となる。足場は床が平坦でない時や障害物が移動できない時も対応可能であるが、その分コストアップ、工期の延長につながる。
【００１６】
天井に予めキャットウォークを設ける方法は、最も短時間で維持管理作業が可能である。しかし、キャットウォークの重量を屋根の積載荷重に加えて構造設計しなければならないため、最も高価な方法である。
【００１７】
昇降装置を設ける方法は、廉価な方法であるが、昇降装置に用いられる電動装置などは頻繁に動作せることで安定して動作するが、逆に使用頻度が低い場合は不安定になる傾向がある。一方で照明器具は長寿命化し、維持管理間隔が長期化している。そのため昇降装置の使用頻度は少なくなり、照明器具の維持管理の為昇降装置が必要な際に作動しないことがあり、昇降装置の為の維持管理作業が頻繁に必要となるなど矛盾した結果になっている。また、障害物が移動できない時も採用できない。また、配線交換については昇降装置では対応できない。
【課題を解決するための手段】
【００１８】
光拡散型天窓と照明器具の配列を一致させることにより、照明器具の維持管理を屋根から行え、また適切な光学的特性の組み合わせとすることで、照明器具の配列を決定するように容易に配置を決定する事が可能となる。
【００１９】
ガスケットによりガラスを取付けた光拡散型天窓は、容易にガラスを取り外すことが可能である。そこで照明器具や電気配管配線を光拡散型天窓の開口部から行うものとする。同様に照明器具の維持管理を屋根上から実施するために、照明器具の位置をガラスを通して分かるように光拡散板にマーカーを取付ける。ガラスは吸盤を用いることで安全に扱うことが出来る。光拡散板が下部に落下しないように把手を設置する。また、その把手に着色することでその両方の効果を得ることもできる。
【００２０】
照明器具を上から取り外し再設置した際に従前と同じ向きと同じ角度を維持するために、取付金物は鉄骨に固定した部分と取り外す部分からなり、両者は手で回すことが可能なノブナットにより固定する
【００２１】
適切な配列は、照明器具の照度計算により得られる複数の配列案毎に、光拡散型天窓により得られる消費電力量、照明器具の点滅・照度制御方法、設置コストをシミュレーションすることにより、最適な配列を選択するものである。
【発明の効果】
【００２２】
本発明照明装置は適切に配置すれば、太陽光による空調負荷増加に関する空調電力を勘案しても、照明電力の削減により、消費電力を４０％以上削減可能となり、省エネ、環境問題への非常に有効な手段となる。
悪天候時・夜間など光拡散型天窓の補助の為に必須である照明器具を一体として扱うことで、建物への配置設計・計画が容易となり、光拡散型天窓の普及に貢献する。
照明器具と光拡散型天窓が一体で、体育館、工場、倉庫などの照明器具の維持管理が容易になる。
【図面の簡単な説明】
【００２３】
【図１】図１は、折板屋根における本発明照明装置の見上図である。
【図２】図２は、折板屋根における本発明照明装置の外観図である。
【図３】図３は、折版屋根の建物への本発明照明装置の設置例である。
【図４】図４は、陸屋根の建物への本発明照明装置の設置例である。
【図５】図５は、本発明照明装置の取付図である。（ａ）は、固定フレームの建物躯体である鉄骨梁への取付図。（ｂ）は、照明器具を固定した可動ポストの固定フレームへの取付図。
【図６】図６は、本発明の電気配管配線設置図である。
【図７】図７は、本発明における照明装置の配置に関する評価方法のフロー図である。
【発明を実施するための形態】
【００２４】
照明器具と光拡散型天窓を上下に重ねて配置し、照明器具の真上の天窓の網入りガラスを容易に取り外しが可能なガスケット工法で取付ける。
照明器具・配管配線の固定方法は屋根からの維持管理が容易になるように、把手や金物を設置する。
【実施例】
【００２５】
図１は、折板屋根に設置した本発明の見上げ図である。折板屋根は数メートル毎に梁が設けられるので、その梁に照明器具を取付けたものである。配管配線を梁に沿って設けることで、配管の下地が不要となり、下からの見栄えも向上するものである。
【００２６】
図２は、折板屋根に設置した本発明の外観図である。光拡散板に設ける着色した把手にヒンジを設けことで、取り扱いが容易な大きな把手でも網入りガラスとの狭い空間に収納することが可能となる。
【００２７】
図３は、本発明を折板屋根の建物に設置した例である。図４は、本発明を陸屋根の建物に設置した例である。
【００２８】
図５は、照明器具の取付金物の一例である。固定フレームを予め梁にボルト等を用いて仮止めする。その後、固定フレームのポスト固定ボルトに可動ポストの固定スリットを差し込み、ノブナットを回して固定する。固定フレームごと照明器具の向きを微調整したのち、固定フレームのボルトを本締めする。
照明器具をメンテナンスする場合は、光拡散型天窓の網入りガラス、光拡散板を取外し、天窓の開口部から手を差し入れ、手でノブナットを緩め、可動ポストを取外し、照明器具ごと屋根上まで引き上げることができる。メンテナンス後は逆の順序で取付ける。
【００２９】
図６は、屋根上から維持管理できる配管配線方法の一例である。照明器具は可動ボールとフレキシブルホースを経由してジョイントボックスから電気配線する。フレキシブルパイプにより、結線したまま屋根上に持ち上げることを可能とする。
【００３０】
図７は、照明器具の配列をシミュレーションする方法の一例である。照明する室の大きさ・性状・必要照度、照明器具の特性を用いて照度計算を行うことで、照明器具の配列の解が複数求められる。照明器具の配列の一つの解から光拡散型天窓の配列が定める。次に、照明器具の点滅・照度制御方法を定める。以上の条件と使用時間条件、建設地における日照データ、その他気象データを用いて照明器具の消費電力をシミュレーションすることができる。また照明器具と制御にかかる費用・光拡散型天窓費用を加えて評価する。すべての組み合わせについて評価を算定し、初期費用、維持費用を勘案して最適な方法を選択する。
【産業上の利用可能性】
【００３１】
プール・固定客席のある体育館、大型機械が設置された工場、ソーター・ラックが設置された倉庫では、照明設備の維持管理が容易かつ廉価に行うことが出来ること、適切な照度環境を保つことで生産性の向上につながる。光拡散型天窓により、省エネルギーを図ることができる。
【符号の説明】
【００３２】
１  光拡散型天窓
２  照明器具
３  光拡散型天窓（陸屋根用）
４  折板屋根
５  梁
６  電気配管
７  網入りガラス
８  光拡散板
９  マーカー・把手
１０  固定フレーム
１１  固定フレームアーム部
１２  固定ピース
１３  固定ボルト
１４  固定ナット
１５  下部固定ピース
１６  固定フックボルト
１７  ポスト固定ボルト
１８  可動ポスト
１９  ハンドル
２０  上部ハンドル
２１  固定プレート
２２  固定スリット
２３  ノブナット
２４  ガスケット
２５  天窓カバー
２６  電気配線ジョイントボックス
２７  フレキシブルパイプ
【図１】
2015204177.tif 000003
【図２】
2015204177.tif 000004
【図３】
2015204177.tif 000005
【図４】
2015204177.tif 000006
【図５】
2015204177.tif 000007
【図６】
2015204177.tif 000008
【図７】
2015204177.tif 000009
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
屋根上から照明器具を取り外す事を特徴とした、光拡散型天窓とその直下に設ける照明器具からなる全般照明のための照明装置。
【請求項２】
請求項１に記載の照明装置に用いる光拡散型天窓で、網入りガラスを取外し屋根の上からの維持管理を容易にするため、照明器具の位置の判別を屋根の上からでも容易にするために光拡散板に設置した着色したマーカー、落下防止のため光拡散板に設置した折り畳み式の把手、または判別と落下防止のために光拡散板に設置した着色した折り畳み式の把手のいずれかを有する光拡散型天窓。
【請求項３】
請求項１に記載の照明装置に用いる照明器具及び取付金具で、新設時に屋根梁に取り付ける際には、下からボルトナットにより設置し、照明器具の方向を調整するための金物とボルトナットを有し、維持管理の際、取り外し時は屋根上部からノブナットを緩めることでボルトを固定スリットを通過させて、取り外し屋根上に引き上げ、取付時は、屋根上から照明器具を挿入し、固定スリットにボルトを通過させ、ノブナットを締めることで取り付ける照明器具及び取付金具。
【請求項４】
請求項１に記載の照明装置に用いる照明器具同士及び照明器具と配電盤をつなぐ電気配管配線で、請求項２に記載の光拡散型天窓を使って配線の維持管理が屋根から行う電気配管配線方法。
【請求項５】
室の性状、必要照度、照明器具特性から得られる照明器具の配列とその配列に従って配置する光拡散型天窓について、建設地における日照データ、その他気象データを用いて照明に関わる消費電力を算定することで、設置コスト、運転コストを試算し、請求項１に記載の照明装置の配列をシミュレーションする方法。
【請求項６】
請求項５に記載のシミュレーション方法により設計された請求項１に記載の照明装置で、請求項２に記載の光拡散型天窓、又は請求項２に記載の光拡散型天窓及び請求項３に記載の照明器具及び取付金具、又は請求項２に記載の光拡散型天窓及び請求項４に記載の方法により設置された電気配管配線、又は請求項２に記載の光拡散型天窓及び請求項３に記載の照明器具及び取付金具及び請求項４に記載の方法により設置された電気配管配線を備えた全般照明のシステム。
【手続補正２】
【補正対象書類名】明細書
【補正対象項目名】全文
【補正方法】変更
【補正の内容】
【発明の詳細な説明】
【技術分野】
【０００１】
本発明は、上部の網入りガラスを取外し屋根からの維持管理が可能な光拡散型天窓とその直下に設置した照明器具からなる照明装置およびその配置方法に関するものである。
【背景技術】
【０００２】
体育館、工場、倉庫など大規模の建物は鉄骨造とすることが多く、屋根に折板屋根を用いる場合が多い。折版屋根は日本で年間３千万平方メートル以上の施工実績があり、屋根全体の４割程度は折版屋根となっている。
【０００３】
体育館、工場、倉庫など大規模な建築物は一般的に高い天井を持ち、照明器具も高い位置に取り付けるのが通例である。照明設備の維持管理では、数千時間毎の電球の交換、設置後１５年毎の照明器具本体の交換、二十ないし三十年毎の電気配線の交換が必要である。ＬＥＤ照明器具の場合は電球交換は不要であるが、数万時間毎の器具交換、二十ないし三十年毎の配線の交換が必要である。
【０００４】
一部の光拡散型天窓は、折版屋根用に特化している。折版屋根との接続金物は現地ロール成形とすることで切れ目を無くし、ガラスの取付はガスケットを用いることで切れ目を無くし、漏水の危険が小さな光拡散型天窓が比較的安価に設置できるようになっている。
【０００５】
光拡散型天窓は、照度のシミュレーションが開発されて、工場や倉庫などの全般照明としての採用事例がある。天候の悪い日や朝夕、夜間には拡散型天窓では照度が得られないため、補助として照明器具を別に用意する必要がある。
【先行技術文献】
【特許文献】
【０００６】
【特許文献１】特許公開  昭和６２−１３９２０２  天窓装置
【特許文献２】特許公開  平成１−１８６５０１  屋内照明システム
【特許文献３】特許公開  平成３−２４１６０３  インテリア照明システム
【特許文献４】特許公開  平成６−１１１６１０  太陽光採光装置
【特許文献５】特許公開  ２０１０−１６０９７５  屋内照明装置
【特許文献６】実用新案全文  昭和５９−０２２８２７  天窓装置
【特許文献７】実用新案全文  昭和６１−１９４９０９  屋内照明装置
【発明の概要】
【発明が解決しようとする課題】
【０００７】
天窓または採光装置と照明器具を組み合わせた技術は多数提案されている。
例えば、特許文献１  特許公開  昭和６２−１３９２０２  天窓装置においては、太陽光も人工光源もミラーやハーフミラーを用いて室内に取り込むため、透過損失や反射によりエネルギーの多くを無駄にしている。また、傾斜が大きな屋根にしか設置できないため、大空間の全般照明として用いることは難しい。
【０００８】
特許文献２  特許公開  平成１−１８６５０１  屋内照明システムにおいては、採光部分と太陽光追尾のためのミラー、調光ルーバーからなる。しかし、太陽光追尾のシステム有する事で採光部分とルーバー間に距離があり、装置の大きさや複雑さからコストが大きくなることは避けられない。これでは大空間の全般照明として採用する事は難しい。
【０００９】
特許文献３  特許公開  平成３−２４１６０３  インテリア照明システムにおいては、天窓、天井面に設けたガラス、偏光ガラス、その内部に人工光源を設けることで昼夜を問わず演出性の高い照明を提供する。人工光源をガラス、偏光ガラスの内側に設けるためエネルギーロスが大きく、装置も複雑で、大空間の全般照明として採用する事は難しい。
【００１０】
特許文献４  特許公開  平成６−１１１６１０  太陽光採光装置においては、採光部と光ダクトで構成する光照射部と光照射部に設けた人工光源からなり、太陽電池を蓄え人工光源の電源とするものである。しかし、人工光源は光照射部の中ほどにありハーフミラーを介して室内を照らすため、エネルギー効率が低い。また、装置が複雑なため大空間の全般照明として採用する事は難しい。
【００１１】
特許文献５  特許公開  ２０１０−１６０９７５  屋内照明装置においては、昼光照明器である天窓と人工光源の照明器を備え、照度センサーにより制御するもので、全般照明としての条件を備えている。しかし、天窓と照明器具を一体的に配置する仕組みを持たないため、通常の建築工事では、建具又は屋根工事として扱われる天窓と電気設備として扱われる照明器具で、設計者や施工者が異なり整合性の確保が困難となる。また、室を分割して使用する場合には壁位置によっては照度的に不都合な部分が生ずる。また、天窓で得られる照度から照明器具の出力を制御するものであるが、そもそもコスト上の最適な天窓配置となっている事が確認できないため、次善の策という他ない。
【００１２】
特許文献６  実用新案全文  昭和５９−０２２８２７  天窓装置においては、天窓からの光を遠くに送ることが特徴であり、光の指向性を高めている。その光の指向性ゆえ全般照明として用いるためには設置数を多くする必要があり、費用的な面で実施が難しい。
【００１３】
特許文献７  実用新案全文  昭和６１−１９４９０９  屋内照明装置においては、太陽光と人工光源を用い、昼間の窓際と部屋の中央部の照度のコントラストを小さくして省エネを図るものである。しかし、光ファイバーを介して得られる光量は小さく大空間の全般照明として採用することは難しい。
【００１４】
大規模で天井の高い建物に設置する照明器具の維持管理作業の際には、高所作業車による方法、足場を組んで行う方法、天井に予め設けたキャットウォークを利用する方法、電球交換や器具交換については昇降装置を設ける方法がある。
【００１５】
高所作業車による工事は比較的廉価で、短時間で実施可能であるが、床が平坦でない時や、工場の生産機械や倉庫の商品などの照明器具の下にある作業の障害物となるものが移動できない時は利用できない。足場を組んで工事する方法は高価で作業時間も多大に必要となる。足場は床が平坦でない時や障害物が移動できない時も対応可能であるが、その分コストアップ、工期の延長につながる。
【００１６】
天井に予めキャットウォークを設ける方法は、最も短時間で維持管理作業が可能であるが、建築構造的にも屋根の荷重として算入され、最も高価な方法となる。
【００１７】
昇降装置を設ける方法は、廉価な方法であるが、昇降装置に用いられる電動装置などは頻繁に動作せることで安定して動作するが、逆に使用頻度が低い場合は不安定になる傾向がある。一方で照明器具は長寿命化し、維持管理間隔が長期化している。そのため昇降装置の使用頻度は少なくなり、照明器具の維持管理の為昇降装置が必要な際に作動しないことがあり、昇降装置の為の維持管理作業が頻繁に必要となるなど矛盾した結果になっている。また、障害物が移動できない時も採用できない。また、配線交換については昇降装置では対応できない。
【課題を解決するための手段】
【００１８】
光拡散型天窓と照明器具の配列を一致させることにより、照明器具の維持管理を屋根から行え、また適切な光学的特性の組み合わせとすることで、照明器具の配列を決定するように容易に配置を決定する事が可能となる。
【００１９】
ガスケットによりガラスを取付けた光拡散型天窓は、容易にガラスを取り外すことが可能である。そこで照明器具や電気配管配線を光拡散型天窓の開口部から行うものとする。同様に照明器具の維持管理を屋根上から実施するために、照明器具の位置をガラスを通して分かるように光拡散板にマーカーを取付ける。ガラスは吸盤を用いることで安全に扱うことが出来る。光拡散板が下部に落下しないように折り畳み式の把手を設置する。また、その折り畳み式の把手に着色することでその両方の効果を得ることもできる。
【００２０】
照明器具を上から取り外し再設置した際に従前と同じ向きと同じ角度を維持するために、取付金物は鉄骨に固定した部分と取り外す部分からなり、両者は手で回すことが可能なノブナットにより固定する。スリットを設けナットにより締めて固定するので、ナットは緩めるだけで取り外すことが出来るため、ナットを落下させる危険を回避する方法である。
【００２１】
適切な配列は、照明器具の照度計算により得られる複数の配列案毎に、光拡散型天窓により得られる消費電力量、照明器具の点滅・照度制御方法、設置コストをシミュレーションすることにより、最適な配列を選択するものである。
【発明の効果】
【００２２】
本発明照明装置は適切に配置すれば、太陽光による空調負荷増加に関する空調電力を勘案しても、照明電力の削減により、消費電力を４０％以上削減可能となり、省エネ、環境配慮に非常に有効である。
悪天候時・夜間など光拡散型天窓の補助の為に必須である照明器具を一体として扱うことで、建物への配置設計・計画が容易となり、光拡散型天窓の普及に貢献する。
照明器具と光拡散型天窓が一体で、体育館、工場、倉庫などの照明器具の維持管理が容易になる。
【図面の簡単な説明】
【００２３】
【図１】図１は、折板屋根における本発明照明装置の見上図である。
【図２】図２は、折板屋根における本発明照明装置の外観図である。
【図３】図３は、折版屋根の建物への本発明照明装置の設置例である。
【図４】図４は、陸屋根の建物への本発明照明装置の設置例である。
【図５】図５は、本発明照明装置の取付図である。（ａ）は、固定フレームの建物躯体である鉄骨梁への取付図。（ｂ）は、照明器具を固定した可動ポストの固定フレームへの取付図。
【図６】図６は、本発明の照明装置の電気配管配線設置図である。
【図７】図７は、本発明の照明装置における照明装置の配置に関する評価方法のフロー図である。
【発明を実施するための形態】
【００２４】
照明器具と光拡散型天窓を上下に重ねて配置し、照明器具の真上の天窓の網入りガラスを容易に取り外しが可能なガスケット工法で取付ける。
照明器具・配管配線の固定方法は屋根からの維持管理が容易になるように、折り畳み式の把手や金物を設置する。
【実施例１】
【００２５】
図１は、折板屋根に設置した本発明の照明装置の見上げ図である。折板屋根は数メートル毎に梁が設けられるので、その梁に照明器具を取付けたものである。配管配線を梁に沿って設けることで、配管の下地が不要となり、下からの見栄えも向上するものである。
【００２６】
図２は、折板屋根に設置した本発明の照明装置の外観図である。光拡散板に設ける着色した把手にヒンジを設け折り畳み式とすることで、取り扱いが容易な大きな把手でも網入りガラスとの狭い空間に収納することが可能となる。
【００２７】
図３は、本発明の照明装置を折板屋根の建物に設置した例である。図４は、本発明の照明装置を陸屋根の建物に設置した例である。
【００２８】
図５は、照明器具の取付金物の一例である。固定フレームを予め梁にボルト等を用いて仮止めする。その後、固定フレームのポスト固定ボルトに可動ポストの固定スリットを差し込み、ノブナットを回して固定する。固定フレームごと照明器具の向きを微調整したのち、固定フレームのボルトを本締めする。
照明器具をメンテナンスする場合は、光拡散型天窓の網入りガラス、光拡散板を取外し、天窓の開口部から手を差し入れ、手でノブナットを緩め、可動ポストを取外し、照明器具ごと屋根上まで引き上げることができる。メンテナンス後は逆の順序で取付ける。
【００２９】
図６は、屋根上から維持管理できる配管配線方法の一例である。照明器具は可動ポストとフレキシブルホースを経由してジョイントボックスから電気配線する。フレキシブルパイプにより、結線したまま屋根上に持ち上げることを可能とする。
【００３０】
図７は、照明器具の配列をシミュレーションする方法の一例である。照明する室の大きさ・性状・必要照度、照明器具の特性を用いて照度計算を行うことで、照明器具の配列の解が複数求められる。照明器具の配列の一つの解から光拡散型天窓の配列が定める。次に、照明器具の点滅・照度制御方法を定める。以上の条件と使用時間条件、建設地における日照データ、その他気象データを用いて照明器具の消費電力をシミュレーションすることができる。また照明器具と制御にかかる費用・光拡散型天窓費用を加えて評価する。すべての組み合わせについて評価を算定し、初期費用、維持費用を勘案して最適な方法を選択する。
【産業上の利用可能性】
【００３１】
プール・固定客席のある体育館、大型機械が設置された工場、ソーター・ラックが設置された倉庫では、照明設備の維持管理が容易かつ廉価に行うことが出来ること、適切な照度環境を保つことで生産性の向上につながる。光拡散型天窓により、省エネルギーを図ることができる。
【符号の説明】
【００３２】
１  光拡散型天窓
２  照明器具
３  光拡散型天窓（陸屋根用）
４  折板屋根
５  梁
６  電気配管
７  網入りガラス
８  光拡散板
９  マーカー・折り畳み式の把手
１０  固定フレーム
１１  固定フレームアーム部
１２  固定ピース
１３  固定ボルト
１４  固定ナット
１５  下部固定ピース
１６  固定フックボルト
１７  ポスト固定ボルト
１８  可動ポスト
１９  ハンドル
２０  上部ハンドル
２１  固定プレート
２２  固定スリット
２３  ノブナット
２４  ガスケット
２５  天窓カバー
２６  電気配線ジョイントボックス
２７  フレキシブルパイプ